(57)【要約】【課題】送信の際の入力ミスを減らして誤送信防止を図った送信装置および記録装置を提供する。【解決手段】複合機３は、ＲＦＩＤタグ付きシート６および送信原稿５から原稿画像をスキャナ１３により光学的に読み取り、ＲＦＩＤリーダ・ライタ１４によりＲＦＩＤタグ付きシート６のＲＦＩＤタグ６１からファクス番号を読み取ると、そのファクス番号の宛先に原稿画像をファクス通信部４８により公衆電話網４９を介してファクス送信する。【選択図】図２
2007174212.tif 000002
【特許請求の範囲】
【請求項１】
送信先情報が書き込まれたＲＦＩＤタグを有するとともに文字、図形等からなる送信情報が記録された送信シートから前記送信情報を読み取る第１の読取部と、
前記ＲＦＩＤタグから前記送信先情報を読み取る第２の読取部と、
前記第１の読取部によって読み取られた前記送信情報を前記第２の読取部によって読み取られた前記送信先情報が示す送信先に送信する送信手段とを備えたことを特徴とする送信装置。
【請求項２】
送信先情報が書き込まれたＲＦＩＤタグを有するとともに文字、図形等からなる送信情報が記録された送信シートから前記送信情報を読み取る第１の読取部と、
前記ＲＦＩＤタグから前記送信先情報を読み取る第２の読取部と、
前記第２の読取部によって読み取られた前記送信先情報を表示する表示手段と、
前記表示手段により表示された前記送信先情報を変更する変更手段と、
前記第１の読取部によって読み取られた前記送信情報を、前記第２の読取部によって読み取られた前記送信先情報が示す送信先、あるいは前記変更手段によって前記送信先情報が変更された場合には、変更された前記送信先情報が示す送信先に送信する送信手段とを備えたことを特徴とする送信装置。
【請求項３】
前記変更手段は、手入力された送信先情報を新たな前記送信先情報として変更することを特徴とする請求項２に記載の送信装置。
【請求項４】
前記変更手段は、宛先表から選択された送信先情報を新たな前記送信先情報として変更することを特徴とする請求項２に記載の送信装置。
【請求項５】
前記変更手段は、他の送信装置、サーバ等の外部装置が保有する宛先表から選択された送信先情報を新たな前記送信先情報として変更することを特徴とする請求項２に記載の送信装置。
【請求項６】
前記変更手段は、前記送信先情報が変更されたとき、変更後の前記送信先情報で前記ＲＦＩＤタグ内の前記送信先情報を書き換えることを特徴とする請求項２に記載の送信装置。
【請求項７】
前記送信手段は、前記第２の読取部によって複数の前記送信先情報が読み取られたとき、前記送信情報を前記複数の送信先情報がそれぞれ示す複数の送信先に送信することを特徴とする請求項１又は２に記載の送信装置。
【請求項８】
前記ＲＦＩＤタグは、前記送信シートに着脱自在に取り付けられたことを特徴とする請求項１又は２に記載の送信装置。
【請求項９】
ＲＦＩＤタグを有する送信シートに文字、図形等の送信情報を印刷する印刷部と、
前記ＲＦＩＤタグに前記送信情報の送信先を示す送信先情報を書き込む書込部とを備えたことを特徴とする記録装置。
【請求項１０】
前記書込部が書き込む前記送信先情報は、手入力された送信先情報、宛先表から選択された送信先情報、または他の記録装置、サーバ等の外部装置が保有する宛先表から選択された送信先情報であることを特徴とする請求項９に記載の記録装置。
【発明の詳細な説明】
【技術分野】
【０００１】
本発明は、ＲＦＩＤ(Radio Frequency Identfication)タグ付きシートの記録内容を送信する送信装置、およびＲＦＩＤタグ付きシートに情報を記録する記録装置に関する。
【背景技術】
【０００２】
近年、パーソナルコンピュータ（ＰＣ）の普及に伴い、文字や図を紙に記録して得られる視認情報と、ＰＣが扱えるデジタル情報とを一体にして取り扱いたいという要求があり、例えば、ＲＦＩＤタグ付き印字用紙が提案されている。具体的には、送信元でＲＦＩＤタグ付き印字用紙から視認情報と共に読み出したデジタル情報を送信先へ送信し、送信先では受信した視認情報とデジタル情報を受信側のＲＦＩＤタグ付き印字用紙へ出力することで送信元の原稿を復元するファクシミリ装置が知られている（例えば、特許文献１参照。）。
【特許文献１】特開２００２−３３７４２６号公報
【発明の開示】
【発明が解決しようとする課題】
【０００３】
しかし、従来のファクシミリ装置では、送信先のファクス番号を手入力する必要があるため、入力ミスによるファクスの誤送信を防止することは難しい。
【０００４】
従って、本発明の目的は、送信の際の入力ミスを減らして誤送信防止を図った送信装置および記録装置を提供することにある。
【課題を解決するための手段】
【０００５】
本発明の第１の態様は、上記目的を達成するため、送信先情報が書き込まれたＲＦＩＤタグを有するとともに文字、図形等からなる送信情報が記録された送信シートから前記送信情報を読み取る第１の読取部と、前記ＲＦＩＤタグから前記送信先情報を読み取る第２の読取部と、前記第１の読取部によって読み取られた前記送信情報を前記第２の読取部によって読み取られた前記送信先情報が示す送信先に送信する送信手段とを備えたことを特徴とする送信装置を提供する。
【０００６】
上記第１の態様によれば、送信先情報の入力操作が不要になるため、入力ミスの発生を無くすことができる。
【０００７】
本発明の第２の態様は、上記目的を達成するため、送信先情報が書き込まれたＲＦＩＤタグを有するとともに文字、図形等からなる送信情報が記録された送信シートから前記送信情報を読み取る第１の読取部と、前記ＲＦＩＤタグから前記送信先情報を読み取る第２の読取部と、前記第２の読取部によって読み取られた前記送信先情報を表示する表示手段と、前記表示手段により表示された前記送信先情報を変更する変更手段と、前記第１の読取部によって読み取られた前記送信情報を、前記第２の読取部によって読み取られた前記送信先情報が示す送信先、あるいは前記変更手段によって前記送信先情報が変更された場合には、変更された前記送信先情報が示す送信先に送信する送信手段とを備えたことを特徴とする送信装置を提供する。
【０００８】
上記第２の態様によれば、表示された送信先情報がユーザが所望する送信先情報である場合は、入力操作が不要になるため、入力ミスの発生を無くすことができる。また、表示された送信先情報がユーザが所望する送信先情報でない場合は、所望の送信先情報に変更することができる。
【０００９】
前記変更手段は、手入力された送信先情報を新たな前記送信先情報として変更してもよい。これにより、任意の送信先情報に変更することができる。
【００１０】
また、前記変更手段は、宛先表から選択された送信先情報を新たな前記送信先情報として変更してもよい。宛先表から選択するだけなので、送信先情報を手入力する場合と比較して入力ミスを減らすことができる。
【００１１】
さらに、前記変更手段は、他の送信装置、サーバ等の外部装置が保有する宛先表から選択された送信先情報を新たな前記送信先情報として変更してもよい。ユーザが良く使用する送信装置が保有する宛先表への登録の手間を省くことが可能となり、宛先表の有効利用を図ることができる。
【００１２】
前記変更手段は、前記送信先情報が変更されたとき、変更後の前記送信先情報で前記ＲＦＩＤタグ内の前記送信先情報を書き換えてもよい。これにより、次回送信時から送信先情報を変更する必要がなくなる。
【００１３】
前記送信手段は、前記第２の読取部によって複数の前記送信先情報が読み取られたとき、前記送信情報を前記複数の送信先情報がそれぞれ示す複数の送信先に送信してもよい。これにより、同一の送信情報を複数の送信先に送信する同報送信を行うことが可能となる。
【００１４】
前記ＲＦＩＤタグは、前記送信シートに着脱自在に取り付けられた構成とすることができる。ＲＦＩＤタグを有していない送信シートに送信先情報が書き込まれたＲＦＩＤタグを取り付けることによって、送信先情報の入力操作を不要にすることができる。
【００１５】
本発明の第３の態様は、上記目的を達成するため、ＲＦＩＤタグを有する送信シートに文字、図形等の送信情報を印刷する印刷部と、前記ＲＦＩＤタグに前記送信情報の送信先を示す送信先情報を書き込む書込部とを備えたことを特徴とする記録装置を提供する。
【００１６】
上記第３の態様によれば、記録装置の書込部によってＲＦＩＤタグに宛先情報を書き込み、送信装置の第２の読取部によってＲＦＩＤタグから宛先情報を無線で取得することにより、送信先情報の入力操作が不要になるため、入力ミスの発生を無くすことができる。
【００１７】
前記書込部が書き込む前記送信先情報は、手入力された送信先情報、宛先表から選択された送信先情報、または他の記録装置、サーバ等の外部装置が保有する宛先表から選択された送信先情報としてもよい。
【００１８】
上記送信先情報は、電話番号、電子メールアドレス等の送信先を特定するものをいい、数字、文字、記号等で表わされる。上記送信シートは、紙やプラスチックからなるものを用いることができる。上記送信装置の送信手段による送信方法には、ファックス、インターネットファックス、電子メール等が含まれる。上記送信情報の通信網としては、電話回線網、インターネット、ＬＡＮ（ローカルエリアネットワーク）等が含まれ、有線、無線を問わない。
【発明の効果】
【００１９】
本発明によれば、送信情報の送信の際に送信先情報の入力操作を不要にすることができる。
【発明を実施するための最良の形態】
【００２０】
［第１の実施の形態］
（画像通信システムの構成）
図１は、本発明の第１の実施の形態に係る画像通信システムを示す。この画像通信システム１は、ＬＡＮ，インターネット等のネットワーク４に接続されたパーソナルコンピュータ（ＰＣ）等によるユーザ端末装置２、及び送信装置または記録装置としての複合機３を備えて構成されている。
【００２１】
この画像通信システム１において、ユーザ端末装置２で作成し或いは入手した文書や画像のデータをプリントする場合、ユーザ端末装置２から文書や画像のデータをＮＷ４を介して複合機３へ送り、複合機３により普通紙等へ印刷する。また、ファクス送信やコピーを行う場合、例えば、原稿を複合機３へ持参し、ユーザが複合機３を操作してファクス送信やコピーを実施する。
【００２２】
（複合機の構成）
図２は、複合機３の構成を示す。この複合機３は、「コピー＋プリンタ＋ファクシミリ」や「コピー＋プリンタ＋ファクシミリ＋スキャナ」等の機能を有し、筐体を構成している本体１０と、本体１０内に設けられて指定のサイズ及び紙質の用紙に可視像による印刷を行う印刷部２０と、本体１０内に設けられて印刷部２０に供給する指定の用紙を収納する給紙部３０とを備えている。
【００２３】
本体１０には、文字や画像が記録されている送信原稿５とともにＲＦＩＤタグ付き送信シート６が載置される送信トレイ１１と、印刷部２０により印刷が終了した記録紙を排出する排紙トレイ１２と、送信トレイ１１からの送信原稿５を光学的に読み取る第１の読取部としてのスキャナ１３と、送信トレイ１１上のＲＦＩＤタグ付き送信シート６に対してデータの書き込み／読み出しを行う書込部及び第２の読取部としてのＲＦＩＤリーダ・ライタ１４と、送信トレイ１１からの送信原稿５及びＲＦＩＤタグ付きファクス送信シート６を排出する排紙台１５と、給紙部３０から印刷部２０へ搬送されるＲＦＩＤタグ付き送信シート６のＲＦＩＤタグにデータを書き込む書込部としてのＲＦＩＤライタ１６とが設けられている。
【００２４】
ＲＦＩＤタグ付き送信シート６は、外部から電源供給及びデータの書き込み／読み出しが無線により行われる微小なＩＣチップによるＲＦＩＤタグ６１と、このＲＦＩＤタグ６１が所定の位置に設けられた送信シート６２からなる。
【００２５】
なお、ＲＦＩＤタグ６１は、送信シート６２に対して粘着テープ、ループとフックを組み合わせたファスナ、凹部と凸部の嵌合構造等を用いて着脱自在に取り付けてもよい。これにより、ＲＦＩＤタグを有していない送信シートに取り付けるだけで、そのＲＦＩＤタグに書き込まれているファクス番号に送信することができる。
【００２６】
印刷部２０は、スキャナ１３による読取情報に基づいて光信号を生成する露光部２１と、露光部２１からの光を所定方向へ反射させるミラー２２と、ミラー２２からの光に基づいて表面に潜像を形成されるとともに該潜像にトナーによる可視像が形成される感光体ドラム２３と、感光体ドラム２３上のトナー像を給紙部３０からの用紙上に転写する転写部２４と、転写されたトナー像を用紙に熱及び加圧力により定着させる定着ローラ２５とを備える。
【００２７】
給紙部３０は、例えば、Ａ４，Ｂ４等のサイズの用紙がサイズ毎にセットされる用紙トレイ３２Ａ，３２Ｂと、データ書込み前のＲＦＩＤタグ付きファクス送信シート６がセットされる送信シートトレイ３３と、用紙トレイ３２Ａ，３２Ｂ及び送信シートトレイ３３から用紙又はＲＦＩＤタグ付きファクス送信シート６を送り出す給紙ローラ３４と、この給紙ローラ３４によって送り出された用紙又はＲＦＩＤタグ付きファクス送信シート６を印刷部２０へ搬送する複数の搬送ローラ３５とを備える。
【００２８】
（複合機の制御部の構成）
図３は、複合機３の制御系を示す。この複合機３は、上記したスキャナ１３、ＲＦＩＤリーダ・ライタ１４、ＲＦＩＤライタ１６、印刷部２０、及び給紙部３０を備えるほか、複合機３の全体を制御するＣＰＵ４１と、ＣＰＵ４１を周辺構成に接続するバス４２と、ＣＰＵ４１を動作させる、後述する図４のフローチャートに示すようなプログラム等の各種のプログラムが格納されたＲＯＭ４３と、データを一時的に記憶するＲＡＭ４４と、印刷する文書データや画像データ、ファクス受信データ等をＨＤ（ハードディスク）に記憶するＨＤＤ４５と、宛先名およびファクス番号からなる宛先表で格納する不揮発性のメモリからなる宛先表記憶部４６と、ネットワーク４を介して電子メール等の通信やインターネットファクシミリ通信を行うネットワーク通信部４７と、公衆電話網４９を介してファクシミリによる送受信を行うファクス通信部４８と、ユーザにより操作される操作表示部５０とを備える。
【００２９】
ここで、ＣＰＵ４１、ＲＯＭ４３、ネットワーク通信部４７及びファクス通信部４８は、送信手段を構成している。
【００３０】
ファクス通信部４８は、スキャナ１３で読み取った原稿画像をＧ３規格等の通信モードに対応したファクスデータに変換して公衆電話網４９へ送出する送信部、及び公衆電話網４９を介して送信先から送信されたファクスデータを処理する受信部を備える。
【００３１】
操作表示部５０は、各種の設定／指定の入力結果や通信の状態等を表示する液晶表示器と、液晶表示器に設けられたタッチパネルと、スタートキー、テンキー、電源ボタン等の各種の機能キー等を有して、ユーザインターフェース（ＵＩ）を構成している。
【００３２】
（画像通信システムの動作）
次に、上記構成による画像通信システム１の動作を場合を分けて説明する。
【００３３】
（１）ファクス送信処理
図４は、ファクス送信処理を説明するためのフローチャートである。なお、ＲＦＩＤタグ６１にファクス番号が記録されているものとして説明する。まず、ユーザは、ＲＦＩＤタグ付きファクス送信シート６の上に送信原稿５を重ねて送信トレイ１１上に載置すると、ＣＰＵ４１は、ＲＦＩＤリーダ・ライタ１４によりＲＦＩＤタグ６１からファクス番号を無線により取得する（Ｓ１）。ＲＦＩＤリーダ・ライタ１４は、ＲＦＩＤタグ６１から取得したファクス番号をＣＰＵ４１に通知する。なお、送信する送信原稿５が無い場合には、ＲＦＩＤタグ付きファクス送信シート６のみを送信トレイ１１上に載置する。
【００３４】
ＣＰＵ４１は、通知されたファクス番号をＲＡＭ４４に記憶するとともに、操作表示部５０の液晶表示器にファクス番号を表示し（Ｓ２）、ファクス番号の修正指示がされたか否かを判断する（Ｓ３）。
【００３５】
ユーザは、表示されたファクス番号が誤りであれば、そのファクス番号を操作表示部５０を操作して修正する（Ｓ３：Ｙｅｓ）。ファックス番号の修正は、テンキー等を用いた手入力で行ってもよく、宛先表記憶部４６に格納されている宛先表から選択して行ってもよい。
【００３６】
ファクス番号の修正指示がされると（Ｓ３：Ｙｅｓ）、ＣＰＵ４１は、修正されたファクス番号でＲＡＭ４４内のファクス番号を書き換えるとともに、ＲＦＩＤリーダ・ライタ１４によりＲＦＩＤタグ６１内のファクス番号を書き換える（Ｓ４）。
【００３７】
次に、ユーザは、操作表示部５０のスタートキーを押下してファクス送信指示を行うと（Ｓ５）、ＣＰＵ４１は、ＲＡＭ４４に記憶されているファクス番号へのファクス送信処理を行う（Ｓ６）。
【００３８】
すなわち、ＣＰＵ４１は、送信トレイ１１からＲＦＩＤタグ付きファクス送信シート６および送信原稿５を図示しない搬送機構によって１枚ずつ取り込み、スキャナ１３を経由して排紙台１５へと搬送させる。スキャナ１３は、送信シート６および送信原稿５から原稿画像を順次読み取り、ＨＤＤ４５に格納する。次に、ＣＰＵ４１は、ＨＤＤ４５に格納された原稿画像をファクス通信部４８でファクス規格のデータに変換させた後、そのデータを電話回線網４９を介してＲＡＭ４４に記憶されているファクス番号の送信先ヘ送信させる。
【００３９】
（２）ファクス受信処理
次に、複合機３のファクス受信処理について説明する。ファクス通信部４８が相手機からファクスを受信すると、その受信データはＨＤＤ４５に一時的に保存される。ここで、ユーザが事前に操作表示部５０から紙へ出力する指定をしていた場合、受信データは印刷部２０に出力され、給紙部３０から供給された所定の用紙に印刷が行われる。また、電子データとしての保存が指示されていた場合、受信データはＨＤＤ４５内に設定されたメールボックスに格納される。
【００４０】
（３）ＲＦＩＤタグへの書込処理
次に、ファクス送信シート６のＲＦＩＤタグ６１へのファクス番号の書込処理について説明する。まず、ユーザは、ファクス番号が書き込まれていないＲＦＩＤタグ付きファクス送信シート６を送信シートトレイ３３にセットする。次に、操作表示部５０を操作して書く込むべきファクス番号を入力する。ファクス番号の入力は、操作表示部５０のテンキー等を操作して手入力で行ってもよく、宛先表記憶部４６に格納されている宛先表から選択して行ってもよい。なお、複数のファクス番号をＲＦＩＤタグ６１に書き込んでもよい。複数のファクス番号を書き込むことにより、例えば、同一の送信データを複数の宛先に送信（同報送信）する場合に利用することができる。
【００４１】
次に、ユーザは、操作表示部５０を操作してＲＦＩＤタグ付きファクス送信シート６への書き込みを指示する。この指示により、ＣＰＵ４１は、給紙ローラ３４及び搬送ローラ３５を駆動し、送信シートトレイ３３上のＲＦＩＤタグ付きファクス送信シート６を印刷部２０へ搬送させる。ファクス送信シート６が、ＲＦＩＤライタ１６に到達すると、上記のように準備したファクス番号がＲＦＩＤライタ１６によってＲＦＩＤタグ６１に書き込まれる。
【００４２】
次に、ＣＰＵ４１は、ＲＦＩＤタグ６１へのファクス番号の書き込みが終了したファクス送信シート６を印刷部２０へ搬送する。印刷部２０によって送信シート６２の表面に記録する情報があるとき、送信シート６２の表面に印刷が行われた後、排紙トレイ１２へ排出される。また、送信シート６２に印刷する必要がない場合、ＲＦＩＤタグ付きファクス送信シート６はそのまま印刷部２０を通過して排紙トレイ１２へ排出される。その後、ＲＦＩＤタグにファックス番号が記録されたＲＦＩＤタグ付きファックス送信シート６は、必要に応じて手書きされ、ＲＦＩＤタグ付きファックス送信シート６単体で、あるいは送信原稿５を伴って送信トレイ１１にセットさせ、送信処理に供される。
【００４３】
（４）ＲＦＩＤタグの内容を消去する処理
まず、ユーザは、ＲＦＩＤタグ付きファクス送信シート６を送信トレイ１１または送信シートトレイ３３にセットする。次に、ユーザは、操作表示部５０を操作してＲＦＩＤタグ６１に記録されている内容の消去を指示すると、ＣＰＵ４１は、ＲＦＩＤタグ付きファクス送信シート６がセットされたトレイに応じてＲＦＩＤリーダ・ライタ１４またはＲＦＩＤライタ１６を起動し、ＲＦＩＤタグ６１のメモリに書き込まれているデータの全てを消去する。
【００４４】
（第１の実施の形態の効果）
第１の実施の形態によれば、下記の効果を奏する。
（イ）ファクス送信時に、複合機３がＲＦＩＤタグ６１からファクス番号を取得して送信するため、送信時にファクス番号を手入力する必要が無くなり、誤送信を防止することができる。
（ロ）ファクス番号を手入力する必要が無くなったため、複合機３の前で送信先ファクス番号を指定する作業が無くなり、ファクス送信に費やす時間を短縮することができる。
（ハ）ＲＦＩＤタグ６１に複数のファクス番号が記録されていれば、複数のファクス番号に同報送信することができる。
（ニ）宛先表記憶部４６に記憶されている宛先表から選択したファクス番号、または手入力されたファクス番号をＲＦＩＤタグ６１に簡単に書き込むことができるため、次回からのファクス番号の手入力操作を不要にすることができる。
（ホ）ファクス送信シート６のＲＦＩＤタグ６１は、消去が行えるため、ＲＦＩＤタグ付きファクス送信シート６を何度も再使用することができる。
【００４５】
［第２の実施の形態］
図５は、本発明の第２の実施の形態に係る画像通信システムを示す。本実施の形態は、第１の実施の形態において、複合機（第１の複合機）３と同様の機能を有する複合機（第２の複合機）７をネットワーク４に接続したものであり、その他の構成は第１の実施の形態と同様である。なお、ネットワーク４に接続される複合機は３台以上であってもよい。
【００４６】
図５において、複合機３，７のそれぞれには、図３に示した宛先表記憶部４６が設けられているが、宛先表の内容は同じとは限らず、一方の複合機に存在しないファクス番号が他方の複合機に存在する場合がある。そこで、ユーザが普段用いている複合機３に送信先ファクス番号が存在しないとき、複合機３のＣＰＵ４１は、他の複合機７のＣＰＵと通信して他の複合機７内を検索する。そして、所望のファクス番号が複合機７内に存在したとき、複合機３のＣＰＵ４１は、そのファクス番号を含む宛先表を複合機７から取得し、自己の操作表示部５０に表示する。
【００４７】
ユーザは、操作表示部５０に表示された宛先表から所望の先ファクス番号を選択し、このファクス番号にファクス送信を行い、或いはＲＦＩＤタグ付きファクス送信シート６のＲＦＩＤタグ６１へ上記した様にして新規登録（書き込み）を実行する。
【００４８】
この第２の実施の形態によれば、通常用いている複合機３内に所望のファクス番号が存在しない場合でも、他の複合機内の宛先表を検索して複合機３に取り込むことができるため、ファクス送信やＲＦＩＤタグ付きファクス送信シート６への新規登録を迅速に行うことができる。
【００４９】
［第３の実施の形態］
図６は、本発明の第３の実施の形態に係る画像通信システムを示す。本実施の形態は、第１の実施の形態において、複合機３と同様の機能を有する複合機（第２の複合機）７、及びサーバ８をネットワーク４に接続したものであり、その他の構成は第１の実施の形態と同様である。
【００５０】
本実施の形態においては、複合機３，７は、宛先表を宛先表記憶部４６に格納している。サーバ８の図示しない記憶部には、各複合機３，７の宛先表を統合した宛先表が格納されており、記憶部内の宛先表は、複合機３，７のいずれからも検索することが可能になっている。
【００５１】
このように構成された本システム１において、例えば、複合機３によりファクス送信を行う際、ＲＦＩＤタグ６１から取得したファクス番号を修正しようとした場合に、複合機３の宛先表に所望のファクス番号が存在していないとき、サーバ７の宛先表を検索して複合機３に取り込み、これを基に第２の実施の形態と同様にして、サーバ７から取得した宛先表からファクス番号を選択する。その選択したファクス番号の宛先に送信データを送信する。
【００５２】
この第３の実施の形態によれば、複合機３，７にファクス番号が存在しない場合でも、サーバ８に格納されている宛先表を検索して複合機３，７に取り込むことができるため、ファクス送信やＲＦＩＤタグ付きファクス送信シート６への新規登録を迅速に行うことができる。また、複合機３，７に宛先表を設けない構成にすることもできる。
【００５３】
［他の実施の形態］
なお、本発明は、上記各実施の形態に限定されず、本発明の趣旨を逸脱しない範囲内で種々な変形が可能である。
【００５４】
例えば、上記各実施の形態では、ファクシミリ送信する場合について説明したが、インターネットファックスや電子メールを送信する場合にも適用することができる。
【００５５】
また、上記各実施の形態では、本発明を複合機に適用する場合について説明したが、ファックシミリ専用装置等にも適用することができる。
【図面の簡単な説明】
【００５６】
【図１】本発明の第１の実施の形態に係る画像通信システムを示す図である。
【図２】図１の複合機の構成を示す図である。
【図３】図１の複合機の制御系を示すブロック図である。
【図４】本発明の第１の実施の形態に係る複合機のファクス送信処理を示すフローチャートである。
【図５】本発明の第２の実施の形態に係る画像通信システムを示す接続図である。
【図６】本発明の第３の実施の形態に係る画像通信システムを示す接続図である。
【符号の説明】
【００５７】
１  画像通信システム
２  ユーザ端末装置
３，７  複合機
４  ネットワーク
５  送信原稿
６  ＲＦＩＤタグ付きファクス送信シート
８  サーバ
１０  本体
１１  送信トレイ
１２  排紙トレイ
１３  スキャナ
１４  ＲＦＩＤリーダ・ライタ
１５  排紙台
１６  ＲＦＩＤライタ
２０  印刷部
２１  露光部
２２  ミラー
２３  感光体ドラム
２４  転写部
２５  定着ローラ
３０  給紙部
３２Ａ，３２Ｂ  用紙トレイ
３３  送信シートトレイ
３４  給紙ローラ
３５  搬送ローラ
４１  ＣＰＵ
４２  バス
４３  ＲＯＭ
４４  ＲＡＭ
４５  ＨＤＤ
４６  宛先表記憶部
４７  ネットワーク通信部
４８  ファクス通信部
４９  公衆電話網
５０  操作表示部
６１  ＲＦＩＤタグ
６２  送信シート
【図１】
2007174212.tif 000003
【図２】
2007174212.tif 000004
【図３】
2007174212.tif 000005
【図４】
2007174212.tif 000006
【図５】
2007174212.tif 000007
【図６】
2007174212.tif 000008